(57)【要約】【課題】熟練の作業者でなくても遮光効果の優れたレンズ鏡筒を高い良品率で提供できるようにする。【解決手段】光学系（Ｌ１，Ｌ２）を収容する光学系収容体（１０）と、前記光学系収容体(１０)に収容され、複数の光学素子の間に配置され、前記光学系収容体（１０）の内周面を覆う遮光環（１３）と、前記光学系収容体（１０）に収容された前記遮光環（１３）を前記光学系収容体（１０）内に固定する固定手段（１０ａ，１３ａ）とを備えている。【選択図】図１
2012098567.tif 000002
【特許請求の範囲】
【請求項１】
光学系を収容する光学系収容体と、
前記光学系収容体に収容され、複数の光学素子の間に配置され、前記光学系収容体の内周面を覆う遮光環と、
前記光学系収容体に収容された前記遮光環を前記光学系収容体内に固定する固定手段と
を備えていることを特徴とするレンズ鏡筒。
【請求項２】
前記固定手段は、
前記光学系収容体の内周面に設けられた第１連結部と、
前記遮光環の外周面に設けられ、前記第１連結部と係合する第２連結部と
で構成されることを特徴とする請求項１記載のレンズ鏡筒。
【請求項３】
前記第１連結部は前記光学系収容体の内周面に形成された溝部であり、第２連結部は前記遮光環の外周面に形成され、前記溝部と係合する突起部であることを特徴とする請求項２記載のレンズ鏡筒。
【請求項４】
前記光学系収容体は、前記内周面に大径部とこの大径部に連なり前記溝部が形成された小径部とを有していることを特徴とする請求項１〜３のいずれか１項記載のレンズ鏡筒。
【請求項５】
前記固定手段は接着剤であることを特徴とする請求項１〜４のいずれか１項記載のレンズ鏡筒。
【請求項６】
前記接着剤を溜める接着剤溜りを設けたことを特徴とする請求項５記載のレンズ鏡筒。
【請求項７】
前記第１連結部は前記光学系収容体の内周面に形成されためねじ部であり、前記第２連結部は前記遮光環の外周面に形成され、前記めねじ部と螺合するおねじ部であることを特徴とする請求項２記載のレンズ鏡筒。
【請求項８】
前記第１連結部は前記光学系収容体の内周面に形成された突起部であり、第２連結部は前記遮光環の外周面に形成され、前記突起部と係合する溝部であることを特徴とする請求項２記載のレンズ鏡筒。
【請求項９】
前記遮光環は、前記溝部が形成される大径部とこの大径部に連なる小径部とを有していることを特徴とする請求項８記載のレンズ鏡筒。
【発明の詳細な説明】
【技術分野】
【０００１】
この発明はレンズ鏡筒に関する。
【背景技術】
【０００２】
従来、第２レンズと、第２レンズを保持する移動枠と、全周に至らずに間欠的に設けられ、第２レンズの外周縁部の一部を移動枠にかしめ固定するかしめ部と、第２レンズの外周縁部であって、かしめ部によって移動枠に固定されていない部分を覆う遮光部材とを備えるレンズ鏡筒が知られている（下記特許文献参照）。このレンズ鏡筒によれば、レンズの外周縁部で反射する有害反射光による光学性能の低下を抑制することができる。
【先行技術文献】
【特許文献】
【０００３】
【特許文献１】特開２００７−２２６１４４号公報
【発明の概要】
【発明が解決しようとする課題】
【０００４】
しかし、上記レンズ鏡筒にはその内周面を低反射にするための工夫がされていない。その結果、フレアによる光学性能の低下を抑制することができない。レンズ鏡筒の内周面を低反射にするための工夫として従来レンズ鏡筒の内周面に低反射の塗料を塗布する方法が知られている。低反射の効果を最大に発揮させるためにはできるだけレンズと胴付きとの接触部の近くまで塗料を塗布する必要がある。また、レンズと胴付きとの接触部に塗料が掛かるとレンズを胴付きに接触させたときのレンズ間の間隔が広くなって光学性能が変化するため、塗料が胴付きに掛からないように塗料を塗布する必要がある。しかし、塗料を塗布する作業は熟練を要するとともに、熟練の作業者を多数確保することは難しいため、実際上遮光効果の優れたレンズ鏡筒を高い良品率で提供することは難しかった。
【０００５】
この発明はこのような事情に鑑みてなされたもので、その課題は熟練の作業者でなくても遮光効果の優れたレンズ鏡筒を高い良品率で提供できるようにすることである。
【課題を解決するための手段】
【０００６】
上記課題を解決するため請求項１記載の発明は、光学系を収容する光学系収容体と、前記光学系収容体に収容され、複数の光学素子の間に配置され、前記光学系収容体の内周面を覆う遮光環と、前記光学系収容体に収容された前記遮光環を前記光学系収容体内に固定する固定手段とを備えていることを特徴とする。
【０００７】
請求項２記載の発明は、請求項１記載のレンズ鏡筒において、前記固定手段は、前記光学系収容体の内周面に設けられた第１連結部と、前記遮光環の外周面に設けられ、前記第１連結部と係合する第２連結部とで構成されることを特徴とする。
【０００８】
請求項３記載の発明は、請求項２記載のレンズ鏡筒において、前記第１連結部は前記光学系収容体の内周面に形成された溝部であり、第２連結部は前記遮光環の外周面に形成され、前記溝部と係合する突起部であることを特徴とする。
【０００９】
請求項４記載の発明は、請求項１〜３のいずれか１項記載のレンズ鏡筒において、前記光学系収容体は、前記内周面に大径部とこの大径部に連なり前記溝部が形成された小径部とを有していることを特徴とする。
【００１０】
請求項５記載の発明は、請求項１〜４のいずれか１項記載のレンズ鏡筒において、前記固定手段は接着剤であることを特徴とする。
【００１１】
請求項６記載の発明は、請求項５記載のレンズ鏡筒において、前記接着剤を溜める接着剤溜りを設けたことを特徴とする。
【００１２】
請求項７記載の発明は、請求項２記載のレンズ鏡筒において、前記第１連結部は前記光学系収容体の内周面に形成されためねじ部であり、前記第２連結部は前記遮光環の外周面に形成され、前記めねじ部と螺合するおねじ部であることを特徴とする。
【００１３】
請求項８記載の発明は、請求項２記載のレンズ鏡筒において、前記第１連結部は前記光学系収容体の内周面に形成された突起部であり、第２連結部は前記遮光環の外周面に形成され、前記突起部と係合する溝部であることを特徴とする。
【００１４】
請求項９記載の発明は、請求項８記載のレンズ鏡筒において、前記遮光環は、前記溝部が形成される大径部とこの大径部に連なる小径部とを有していることを特徴とする。
【発明の効果】
【００１５】
この発明によれば、熟練の作業者でなくても遮光効果の優れたレンズ鏡筒を高い良品率で提供することができる。
【図面の簡単な説明】
【００１６】
【図１】図１はこの発明の第１実施形態に係るレンズ鏡筒の断面図である。
【図２】図２はこの発明の第２実施形態に係るレンズ鏡筒の断面図である。
【図３】図３はこの発明の第３実施形態に係るレンズ鏡筒の断面図である。
【図４】図４はこの発明の第４実施形態に係るレンズ鏡筒の断面図である。
【図５】図５は図４の部分拡大図である。
【図６】図６はこの発明の第５実施形態に係るレンズ鏡筒の断面図である。
【図７】図７はこの発明の第６実施形態に係るレンズ鏡筒の断面図である。
【図８】図８はこの発明の第７実施形態に係るレンズ鏡筒の断面図である。
【発明を実施するための形態】
【００１７】
以下、この発明の実施の形態を図面に基づいて説明する。
【００１８】
図１はこの発明の第１実施形態に係るレンズ鏡筒の断面図である。
【００１９】
レンズ鏡筒１００は、光学系を構成する２つのレンズ（複数の光学素子）Ｌ１、Ｌ２を収容するレンズ室（光学系収容体）１０と、レンズ室１０内に収容され、レンズ室１０の内周面を覆う遮光環１３と、レンズ室１０の内周面に形成された溝部（第１連結部）１０ａと、遮光環１３の外周面に形成され、溝部１０ａと係合する突起部（第２連結部）１３ａとを備えている。溝部１０ａと突起部１３ａとで遮光環１３をレンズ室１０内に固定する固定手段が構成される。
【００２０】
レンズ室１０の一端部の内周面には、レンズＬ１をレンズ室１０に固定する押え環１１のおねじ部と螺合するめねじ部が形成されている。押え環１１をねじ込むことでレンズＬ１がレンズ室１０に固定される。
【００２１】
また、レンズ室１０の他端部の内周面には、レンズＬ２をレンズ室１０に固定する押え環１２のおねじ部と螺合するめねじ部が形成されている。押え環１２をねじ込むことでレンズＬ２がレンズ室１０に固定される。
【００２２】
レンズ室１０の内周面には例えば機械加工によってめねじ部、溝部１０ａ等が形成される。
【００２３】
レンズＬ１及びレンズＬ２はそれぞれ胴付き１０ｂ及び胴付き１０ｃに当接する。胴付き１０ｂ，１０ｃ間の間隔は予め決められた所定の寸法に設定されている。したがって、レンズＬ１，Ｌ２の間隔は一定に維持され、光学性能は変化しない。胴付き１０ｂ及び胴付き１０ｃはレンズ室１０の一部を構成する。なお、この実施形態では、胴付き１０ｂ，１０ｃ間の間隔をＤ１、遮光環１３の長さをＤ２としたとき、Ｄ１とＤ２とはＤ１≧Ｄ２の関係にある。
【００２４】
遮光環１３はレンズＬ１とレンズＬ２との間に配置されている。遮光環１３は金属製又は合成樹脂製である。この実施形態では突起部１３ａと遮光環１３とが一体に成形されている。遮光環１３をレンズ室１０に組み込む前に遮光環１３の内周面に低反射の塗料（黒つや消し等の塗料）が塗布される。その塗布作業はレンズ鏡筒１００の内周面に低反射の塗料を塗布するときの熟練の技術を必要としない。
【００２５】
レンズ鏡筒１００は以下のように組み立てられる。
【００２６】
まず、レンズＬ１と押え環１１とをレンズ室１０に装着する。
【００２７】
次に、レンズＬ２と押え環１２とがレンズ室１０に装着されていない状態で、遮光環１３をレンズＬ２側の開口からレンズ室１０内に挿入する。このとき、遮光環１３の突起部１３ａをレンズ室１０の溝部１０ａに係合させる。その結果、遮光環１３がレンズ室１０内に固定される。
【００２８】
その後、レンズＬ２を胴付き１０ｃに当接し、押え環１２をねじ込んでレンズＬ２をレンズ室１０に固定する。
【００２９】
この実施形態によれば、予め内周面に低反射の塗料が塗布された遮光環１３をレンズ室１０に収容することによってレンズ室１０の内周面を覆うようにしたので、熟練の作業者でなくても遮光効果の優れたレンズ鏡筒１００を高い良品率で提供することができる。また、遮光環１３がレンズ室１０内に固定されるので、例えば組み立てた状態のレンズ室１０を振ったとしても遮光環１３が動いてレンズ室１０に当ってカタカタと音を立てることがない。更に、レンズ室１０の内周面の機械加工と遮光環１３の内周面１３ｂに塗料を塗布する作業とを並行して行う（作業分担する）ことができるため、短時間にレンズ鏡筒１００を製造することができる。また、従来、レンズ鏡筒１００の製造には、上述の機械加工と塗料の塗布作業との両方を行える作業者が必要であったが、遮光環１３をレンズ室１０に収容する作業は熟練を要しないため、レンズ室１０の機械加工に熟練の作業者をより多く割り当てることができる。
【００３０】
なお、塗料の塗布は遮光環１３をレンズ室１０に組み込んでから行ってもよい。例えば、遮光環１３を図１の右側からレンズ室１０に組み込んだ後、遮光環１３の内周面１３ｂに塗料を塗布する。このとき、遮光環１３の奥側（図１の左側）に塗料を塗布するには、刷毛等をレンズ室１０の一方の開口（図１の右側の開口）から距離Ｄ２＋Ｄ３だけ奥へ入れる必要がある。これに対し、遮光環１３をレンズ室１０に組み込む前に塗布するようにすれば、遮光環１３の塗布に最大でも遮光環１３の長さである距離Ｄ２だけ刷毛等を遮光環１３内に入れるだけでよい。塗料の塗布作業が容易となり、遮光環１３を自動塗装することも可能になる。このとき、胴付き１０ｂ，１０ｃに塗料が塗布されるおそれは全くないので、レンズＬ１，Ｌ２間の間隔を維持したまま遮光環１３に塗料を塗布することができる。
【００３１】
図２はこの発明の第２実施形態に係るレンズ鏡筒の断面図であり、第１実施形態と共通する部分には同一符号を付してその説明を省略する。
【００３２】
この実施形態は、遮光環２３が大径部２３Ａと大径部２３Ａに連なる小径部２３Ｂとを有し、レンズ室２０に大径部２０Ｄと大径部２０Ｄに連なる小径部２０Ｅとを形成した点で、第１実施形態と相違する。
【００３３】
小径部２３Ｂの外周面に、レンズ室２０の小径部２０Ｅの内周面に形成された溝部（第１連結部）２０ａと係合する突起部（第２連結部）２３ａが形成されている。溝部２０ａと突起部２３ａとで固定手段が構成される。
【００３４】
レンズ鏡筒２００は以下のように組み立てられる。
【００３５】
まず、レンズＬ２と押え環１２とをレンズ室２０に装着する。
【００３６】
次に、レンズＬ１と押え環１１とがレンズ室２０に装着されていない状態で、遮光環２３をレンズＬ１側の開口からレンズ室２０内に挿入する。
【００３７】
このとき、遮光環２３の突起部２３ａをレンズ室２０の溝部２０ａに係合させる。その結果、遮光環２３がレンズ室２０内に固定される。
【００３８】
その後、レンズＬ１を胴付き２０ｂに当接し、押え環１１をねじ込んでレンズＬ１をレンズ室２０に固定する。
【００３９】
この実施形態によれば、第１実施形態と同様の効果を奏するとともに、遮光環（特に金属製の遮光環）２３をレンズＬ１側の開口からレンズ室２０に挿入したとき、突起部２３ａによって胴付き２０ｃが削られることがないので、レンズ鏡筒２００の製造後にレンズ室２０を図２の右方から見たときの見栄えが良くなる。
【００４０】
図３はこの発明の第３実施形態に係るレンズ鏡筒の断面図であり、第２実施形態と共通する部分には同一符号を付してその説明を省略する。
【００４１】
この実施形態は、突起部及び溝部をなくし、接着剤（図示せず）で遮光環３３をレンズ室３０に固定するようにした点で、第２実施形態と相違する。接着剤が固定手段を構成する。
【００４２】
レンズ鏡筒３００は以下のように組み立てられる。
【００４３】
まず、レンズＬ２と押え環１２とをレンズ室３０に装着する。
【００４４】
次に、レンズＬ１と押え環１１とが装着されていない状態で、レンズ室３０の段差部３０ａに接着剤を塗布する。
【００４５】
その後、遮光環３３をレンズＬ１側の開口からレンズ室３０内に挿入する。
【００４６】
このとき、段差部３０ａに大径部３３Ａの小径部３３Ｂ側端部３３ａを当接させる。その結果、接着剤によって段差部３０ａと大径部３３Ａの小径部３３Ｂ側端部３３ａとが接着し、遮光環３３がレンズ室３０内に固定される。
【００４７】
最後に、レンズＬ１を胴付き３０ｂに当接し、押え環１１をねじ込んでレンズＬ１をレンズ室３０に固定する。
【００４８】
この実施形態によれば、第２実施形態と同様の効果を奏するとともに、遮光環３３をレンズ室３０に挿入した際、遮光環３３を弾性変形させたくない場合（例えば遮光環３３の弾性変形によって内周面に塗布した塗料にひび割れのおそれがある場合）に有効である。
【００４９】
図４はこの発明の第４実施形態に係るレンズ鏡筒の断面図、図５は図４の部分拡大図であり、第３実施形態と共通する部分には同一符号を付してその説明を省略する。
【００５０】
この実施形態は、レンズ室４０の段差部４０ａに接着剤を溜める接着剤溜り４０ｄを設けた点で、第３実施形態と相違する。
【００５１】
図５に示すように、接着剤溜り４０ｄは溝であり、レンズ室４０の周方向の全周に亘って設けられている。接着剤溜り４０ｄの溝の断面は三角形である。
【００５２】
レンズ鏡筒４００は以下のように組み立てられる。
【００５３】
まず、レンズＬ２と押え環１２とをレンズ室４０に装着する。
【００５４】
次に、レンズＬ１と押え環１１とがレンズ室４０に装着されていない状態で、レンズ室４０の段差部４０ａに接着剤（図示せず）を供給する。
【００５５】
その後、遮光環４３をレンズＬ１側の開口からレンズ室４０内に挿入する。
【００５６】
このとき、段差部４０ａに大径部４３Ａの小径部４３Ｂ側端部４３ａを当接させる。接着剤の塗布量が多すぎたとき、余分な接着剤が接着剤溜り４０ｄに収容される。その結果、接着剤によって段差部４０ａと大径部４３Ａの小径部４３Ｂ側端部４３ａとが接着し、遮光環４３がレンズ室４０内に確実に固定される。
【００５７】
最後に、レンズＬ１を胴付き４０ｂに当接し、押え環１１をねじ込んでレンズＬ１をレンズ室４０に固定する。
【００５８】
この実施形態によれば、段差部４０ａに供給された接着剤の量が多すぎたとき、余分な接着剤が第３実施形態と同様の効果を奏するとともに、接着剤溜り４０ｄに入り込み、段差部４０ａが大径部４３Ａの小径部４３Ｂ側端部４３ａに確実に接着するので、熟練度の低い作業者であっても良品を組み立てることができる。なお、接着剤溜り４０ｄをレンズ室４０の周方向へ全周に亘って設ける代わりに、レンズ室４０の周方向へ所定間隔をおきに設けるようにしてもよい。
【００５９】
図６はこの発明の第５実施形態に係るレンズ鏡筒の断面図であり、第２実施形態と共通する部分には同一符号を付してその説明を省略する。
【００６０】
この実施形態は、レンズ室５０の内周面にめねじ部（第１連結部）５０ａを形成し、遮光環５３の外周面にめねじ部５０ａと係合するおねじ部（第２連結部）５３ａを形成した点で、第１実施形態と相違する。めねじ部５０ａとおねじ部５３ａとで固定手段が構成される。
【００６１】
めねじ部５０ａはレンズ室５０の内周面に機械加工によって形成される。
【００６２】
おねじ部５３ａは遮光環５３の大径部５３Ａに連なる小径部５３Ｂの外周面に形成されている。
【００６３】
遮光環５３の端面には周方向へ１８０°の間隔をおいて２つの工具溝５３ｅが形成されている。工具（図示せず）の先端部を２つの工具溝５３ｅに係合させ、工具を回転させることによって遮光環５３をレンズ室５０にねじ込んだり、レンズ室５０から外したりすることができる。
【００６４】
レンズ鏡筒５００は以下のように組み立てられる。
【００６５】
まず、レンズＬ２と押え環１２とをレンズ室５０に装着する。
【００６６】
次に、レンズＬ１と押え環１１とがレンズ室５０に装着されていない状態で、遮光環５３をレンズＬ１側の開口からレンズ室５０内に挿入し、めねじ部５０ａにおねじ部５３ａを螺合させる。
【００６７】
その後、工具を工具溝５３ｅに係合させ、大径部５３Ａの小径部５３Ｂ側端部５４ａが段差部５１ａに当接するまで遮光環５３をレンズ室５０にねじ込む。その結果、遮光環５３がレンズ室５０内に固定される。
【００６８】
最後に、レンズＬ１を装着し、押え環１１をねじ込んでレンズＬ１をレンズ室５０に固定する。
【００６９】
この実施形態によれば、第２実施形態と同様の効果を奏する。この実施形態は、遮光環５３をレンズ室５０にねじ込むだけで遮光環５３をレンズ室５０に固定することができるので、胴付き５０ｂ，５０ｃに遮光環５３を接触させたくない場合、遮光環５３を弾性変形させたくない場合、接着作業に熟練していない作業者に遮光環５３をレンズ室５０に固定させる場合に有効である。
【００７０】
図７はこの発明の第６実施形態に係るレンズ鏡筒の断面図であり、第１実施形態と共通する部分には同一符号を付してその説明を省略する。
【００７１】
この実施形態は、レンズ室６０の内周面に突起部（第１連結部）６０ａを形成し、遮光環６３の外周面に突起部６０ａと係合する溝部（第２連結部）６３ａを形成した点で、第１実施形態と相違する。突起部６０ａと溝部６３ａとで固定手段が構成される。
【００７２】
レンズ鏡筒６００の組立方法は第１実施形態と同じであるので、その説明を省略する。
【００７３】
この実施形態によれば、第１実施形態と同様の効果を奏するとともに、遮光環６３の外周面に溝部６３ａを形成する構造であるので、レンズ室６０の成形時の型開放が容易であり、レンズ室６０を製造し易くなる。
【００７４】
図８はこの発明の第７実施形態に係るレンズ鏡筒の断面図であり、第６実施形態と共通する部分には同一符号を付してその説明を省略する。
【００７５】
この実施形態は、遮光環７３が大径部７３Ａとこの大径部７３Ａに連なる小径部７３Ｂとを有し、レンズ室７０に大径部７０Ｄと大径部７０Ｄに連なる小径部７０Ｅとを形成した点で、第１実施形態と相違する。
【００７６】
大径部７３Ａの外周面にレンズ室７０の大径部７０Ｄの内周面に形成された突起部（第１連結部）７０ａと係合する溝部（第２連結部）７３ａが形成されている。突起部７０ａと溝部７３ａとで固定手段が構成される。突起部７０ａ部分の直径は小径部７３Ｂの直径より大きい。
【００７７】
レンズ鏡筒６００の組立方法は第１実施形態と同じであるので、その説明を省略する。
【００７８】
この実施形態によれば、遮光環７３をレンズ室７０に挿入するとき、遮光環７３の先端部が突起部７０ａに接触しないため、遮光環７３の先端部をレンズ室７０のどこにも接触させたくない場合に有効である。
【符号の説明】
【００７９】
１０，２０，３０，４０，５０，６０，７０：レンズ室（光学系収容体）、１０ａ，２０ａ：溝部（第１連結部）、１３，２３，３３，４３，５３，６３，７３：遮光環、１３ａ，２３ａ：突起部（第２連結部）、２１ａ，３０ａ，４０ａ，５１ａ，７１ａ：段差部、２３Ａ，３３Ａ，４３Ａ，５３Ａ，７３Ａ：大径部、２３Ｂ，３３Ｂ，４３Ｂ，５３Ｂ，７３Ｂ：小径部、２４ａ，３３ａ，４３ａ，５４ａ，７４ａ：大径部の小径部側端部、５０ａ：めねじ部（第１連結部）、５３ａ：おねじ部（第２連結部）、６０ａ，７０ａ：突起部（第１連結部）、６３ａ，７３ａ：溝部（第２連結部）、１００，２００，３００，４００，５００，６００，７００：レンズ鏡筒、Ｌ１，Ｌ２：レンズ（光学系）。
【図１】
2012098567.tif 000003
【図２】
2012098567.tif 000004
【図３】
2012098567.tif 000005
【図４】
2012098567.tif 000006
【図５】
2012098567.tif 000007
【図６】
2012098567.tif 000008
【図７】
2012098567.tif 000009
【図８】
2012098567.tif 000010